(57)【要約】  【課題】  読み取られた画像データに処理を施す際に、暗部における階調性を確保する。  【解決手段】  前処理部１００は、ＣＣＤイメージセンサ７８から出力され、増幅されたアナログ画像データにオフセット補正を施すオフセット補正回路１０２、オフセット補正されたアナログ画像データをＡ/Ｄ変換するＡ/Ｄ変換回路１０３、Ａ/Ｄ変換されたディジタル画像データに空間フィルタリング処理を施したフィルタ処理後データまたは空間フィルタリング処理を施さないフィルタ処理前データを選択して出力するフィルタ処理回路１０４、フィルタ処理回路１０４から出力されるフィルタ出力データに、先に施されたオフセット補正に対応した減算処理を施す減算回路１０５を備える。アナログ画像データにオフセット補正を施すことで、アナログ画像データに含まれるノイズの影響を低減し、暗部すなわち高濃度部における階調性を確保することができる。  【選択図】  図３
2006254008.tif 000002
【特許請求の範囲】
【請求項１】
入力されるアナログ画像データを所定のレベルにオフセットするオフセット補正手段と、
前記オフセット補正手段で所定のレベルにオフセットされた前記アナログ画像データをディジタル画像データに変換する変換手段と、
前記変換手段で変換された前記ディジタル画像データにフィルタ処理を施すフィルタ処理手段と、
前記フィルタ処理手段にて前記ディジタル画像データにフィルタ処理を施したフィルタ処理後データまたは当該フィルタ処理手段にて当該ディジタル画像データにフィルタ処理を施さないフィルタ処理前データのいずれかを選択し、フィルタ出力データとして出力する選択出力手段と、
前記選択出力手段から出力された前記フィルタ出力データから、前記オフセット補正手段においてなされた前記オフセットに対応するデータを減算する減算手段と
を含む画像処理装置。
【請求項２】
前記オフセット補正手段は、前記アナログ画像データがすべて正の値をとるように、当該アナログ画像データに前記オフセット補正として正極性且つ一定の直流バイアスを印加することを特徴とする請求項１記載の画像読み取り装置。
【請求項３】
前記選択出力手段は、前記アナログ画像データの読み取りモードが写真モードの場合に、前記フィルタ出力データとして前記フィルタ処理後データを選択、出力することを特徴とする請求項１記載の画像処理装置。
【請求項４】
前記選択出力手段は、注目画素のディジタル画像データが所定の閾値よりも低濃度である場合には、前記フィルタ出力データとして前記フィルタ処理前データを選択、出力することを特徴とする請求項１記載の画像処理装置。
【請求項５】
前記注目画素のディジタル画像データは、当該注目画素のフィルタ処理後データであることを特徴とする請求項４記載の画像処理装置。
【請求項６】
前記減算手段にて前記オフセット分が減算された前記フィルタ出力データにγ補正を施すγ補正手段をさらに含むことを特徴とする請求項１記載の画像処理装置。
【請求項７】
原稿の画像を読み取る読み取りセンサと、
前記読み取りセンサにて読み取られたアナログ画像データにオフセット補正を施すオフセット回路と、
前記オフセット回路にてオフセット補正が施された前記アナログ画像データをディジタル画像データに変換するアナログ/ディジタル変換回路と、
前記アナログ/ディジタル変換回路にて変換された前記ディジタル画像データから、前記オフセット回路においてなされた前記オフセット補正に対応するデータを減算する減算回路と
を含む画像読み取り装置。
【請求項８】
前記オフセット回路は、前記読み取りセンサにて読み取られた前記アナログ画像データに含まれる負の成分を正方向にシフトさせるように、当該アナログ画像データにオフセット補正を施すことを特徴とする請求項７記載の画像読み取り装置。
【請求項９】
前記アナログ/ディジタル変換回路と前記減算回路との間に設けられ、当該アナログ/ディジタル変換回路にて変換された前記ディジタル画像データにフィルタ処理を施すフィルタ処理回路をさらに含むことを特徴とする請求項７記載の画像読み取り装置。
【請求項１０】
前記減算回路にて前記オフセットに対応するデータの減算が施された前記ディジタル画像データにγ補正を施すγ補正回路をさらに含むことを特徴とする請求項７記載の画像読み取り装置。
【発明の詳細な説明】
【技術分野】
【０００１】
本発明は、原稿を読み取って得られた画像データに処理を施す画像処理装置、および、原稿の画像を読み取る画像読み取り装置に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置としては、例えば原稿に光を照射し、原稿から反射する反射光をイメージセンサにて受光することで、原稿の画像を読み取るものが知られている。また、原稿としてフィルムが用いられる場合には、例えば原稿の背面から光を照射し、原稿を透過する透過光をイメージセンサにて受光することで、原稿(フィルム)の画像を読み取るタイプのものも存在する。
【０００３】
近年では、画像読み取り装置で読み取った原稿の画像データを、コンピュータに設けられた記憶装置に格納したり、プリンタ等の画像形成装置でプリントアウトしたり、あるいはディスプレイなどの表示装置で表示したりすることが広く行われるようになってきている。そこで、画像読み取り装置とこれら画像関連デバイスとの間における画像データの授受を容易なものとするため、イメージセンサにて受光されたアナログの画像データ(アナログ画像データ)を、画像読み取り装置においてディジタル化し、ディジタル画像データとして出力することが行われている。このため、画像読み取り装置には、入力されてくるアナログ画像データをディジタル画像データに変換するＡ/Ｄ変換回路(アナログ/ディジタル変換回路)等の画像処理装置が設けられている。
【０００４】
ところで、イメージセンサから出力されるアナログ画像データには、本来の画像データの他に何らかのノイズ成分が重畳されている。このため、イメージセンサから入力されてくるアナログ画像データをＡ/Ｄ変換し、得られたディジタル画像データをそのまま出力すると、出力されるディジタル画像データにもノイズ成分が含まれることになってしまう。そこで、Ａ/Ｄ変換されたディジタル画像データを構成する各画素のデータに対してフィルタ処理を施すことにより、ディジタル画像データに含まれるノイズ成分を低減する技術が存在する(特許文献１参照)。
【０００５】
また、画像読み取り装置で用いられるイメージセンサは、通常、入力階調と出力階調との関係(入出力特性)が非直線状であり、その結果、最小階調と最大階調との間の中間調で、例えば入力階調に対して実際の出力階調が小さくなる(中間調が沈む)といった現象が発生する。そこで、上記特許文献１では、ディジタル画像データにγ補正を施す技術が開示されている。ここで、γ補正とは、ディジタル画像データを構成する各画素のデータに対し、イメージセンサの入出力特性の逆関数をかけ合わせることで、入力階調と出力階調との関係を直線状に補正する技術である。
【０００６】
【特許文献１】特開２００１−３０９１７７号公報(第８−９頁、図４)
【発明の開示】
【発明が解決しようとする課題】
【０００７】
ところで、画像読み取り装置では、上述したように原稿からの反射光あるいは透過光をイメージセンサにて受光している。このため、原稿上で画像がない部分ではイメージセンサの受光量が多くなり(明部という)、原稿上で画像がある部分ではイメージセンサの受光量が少なくなる(暗部という)。ここで、暗部に注目すると、暗部ではイメージセンサにおける受光量が少ないため、当然、暗部に対応してイメージセンサから出力されるアナログ画像データの値は小さなものとなり、特に高濃度(例えば黒)の画像を読み取った場合、イメージセンサから出力されるアナログ画像データの値は略０となる。ただし、イメージセンサから出力されるアナログ画像データには、上述したようにノイズ成分が含まれている。このため、高濃度の画像を読み取った場合、イメージセンサからは、例えば図１０(ａ)に示すように、実際には０を中心として正負に若干の振幅を持ったアナログ画像データが出力されてくる。
【０００８】
このような高濃度に対応するアナログ画像データがＡ/Ｄ変換回路に入力されると、Ａ/Ｄ変換回路では、負のノイズ成分が０レベルにクリップされてしまうため、図１０(ｂ)に示すようなディジタル画像データが出力されることになる。そして、Ａ/Ｄ変換回路から出力される高濃度に対応するディジタル画像データに対し、ノイズ成分を低減するためのフィルタ処理が施されると、最終的に図１０(ｃ)に実線で示すディジタル画像データが出力される。つまり、略０であったアナログ画像データに対し、Ａ/Ｄ変換およびフィルタ処理が施されることにより、所定の値をもったディジタル画像データが出力されることになってしまうのである。
【０００９】
ここで、図１１は、上述したフィルタ処理におけるディジタル画像データの入出力特性を示している。なお、図１１においては、階調が８ビット(２５６階調)で表されており、低階調が暗部側、高階調が明部側となっている。同図から明らかなように、明部では、フィルタ入力値とフィルタ出力値がリニアに対応している。しかしながら、フィルタ入力値が０レベルの近傍となる暗部では、上述したフィルタ処理で生じる問題により、フィルタ入力値とフィルタ出力値との関係が明部における関係からずれる。このため、暗部すなわち高濃度領域における階調性が損なわれることになってしまう。
【００１０】
また、このようなディジタル画像データにγ補正を施すと、さらに問題が生じる。入力データの信号レベルが小さい暗部では、γ補正により高い利得をもって出力データの信号が得られることになる。しかしながら、暗部では上述したように既に階調性が損なわれているため、γ補正が行われることにより、暗部すなわち高濃度部における階調性が著しく損なわれることになってしまう。
【００１１】
本発明は、かかる技術的課題を解決するためになされたものであって、その目的とするところは、読み取られた画像データに処理を施す際に、暗部における階調性を確保することにある。
また、他の目的は、ディジタル画像データにフィルタ処理を施した際にも、低濃度から高濃度まで所定の階調性を維持することにある。
【課題を解決するための手段】
【００１２】
かかる目的のもと、本発明が適用される画像処理装置は、入力されるアナログ画像データをオフセット補正手段で所定のレベルにオフセットし、オフセット補正手段で所定のレベルにオフセットされたアナログ画像データを変換手段にてディジタル画像データに変換し、変換手段で変換されたディジタル画像データにフィルタ処理手段にてフィルタ処理を施し、フィルタ処理手段にてディジタル画像データにフィルタ処理を施したフィルタ処理後データまたはフィルタ処理手段にてディジタル画像データにフィルタ処理を施さないフィルタ処理前データのいずれかを、選択出力手段で選択し、フィルタ出力データとして出力し、選択出力手段から出力されたフィルタ出力データから、オフセット補正手段においてなされたオフセットに対応するデータを減算手段で減算する。
【００１３】
ここで、オフセット補正手段は、アナログ画像データがすべて正の値をとるように、アナログ画像データにオフセット補正として正極性且つ一定の直流バイアスを印加することを特徴とすることができる。また、選択出力手段は、アナログ画像データの読み取りモードが写真モードの場合に、フィルタ出力データとしてフィルタ処理後データを選択、出力することを特徴とすることができる。さらに、選択出力手段は、注目画素のディジタル画像データが所定の閾値よりも低濃度である場合には、フィルタ出力データとしてフィルタ処理前データを選択、出力することを特徴とすることができる。この場合に、注目画素のディジタル画像データは、注目画素のフィルタ処理後データであることを特徴とすることができる。そして、減算手段にてオフセット分が減算されたフィルタ出力データにγ補正手段にてγ補正を施すことを特徴とすることができる。
【００１４】
また、他の観点から捉えると、本発明が適用される画像読み取り装置は、原稿の画像を読み取る読み取りセンサと、読み取りセンサにて読み取られたアナログ画像データにオフセット補正を施すオフセット回路と、オフセット回路にてオフセット補正が施されたアナログ画像データをディジタル画像データに変換するアナログ/ディジタル変換回路と、アナログ/ディジタル変換回路にて変換されたディジタル画像データから、オフセット回路においてなされたオフセット補正に対応するデータを減算する減算回路とを含んでいる。
【００１５】
ここで、オフセット回路は、読み取りセンサにて読み取られたアナログ画像データに含まれる負の成分を正方向にシフトさせるように、アナログ画像データにオフセット補正を施すことを特徴とすることができる。また、アナログ/ディジタル変換回路と減算回路との間に設けられ、アナログ/ディジタル変換回路にて変換されたディジタル画像データにフィルタ処理を施すフィルタ処理回路をさらに含むことを特徴とすることができる。さらに、減算回路にてオフセットに対応するデータの減算が施されたディジタル画像データにγ補正を施すγ補正回路をさらに含むことを特徴とすることができる。
【発明の効果】
【００１６】
本発明によれば、アナログ/ディジタル変換前のアナログ画像データにオフセット補正を施し、且つ、アナログ/ディジタル変換後のディジタル画像データにオフセット分に対応する減算処理を施すことにより、暗部における階調性を確保することができる。
【発明を実施するための最良の形態】
【００１７】
以下、添付図面を参照して、本発明を実施するための最良の形態(以下、実施の形態という)について詳細に説明する。
図１は本実施の形態が適用される画像読み取り装置を示した図である。この画像読み取り装置は、大きく、積載された原稿束から原稿を順次、搬送する原稿送り装置１０、スキャンによって画像を読み込むスキャナ装置７０、および、原稿送り装置１０やスキャナ装置７０の駆動制御およびスキャナ装置７０によって読み込まれた画像信号を処理する処理装置８０に大別される。
原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。
【００１８】
さらに、アウトロール２０の下流側には、原稿トレイ１１の下部に設けられ、読み込みが終了した原稿を積載させる排出トレイ４０に原稿を導く第２搬送路３２が設けられている。そして、この第２搬送路３２には、排出トレイ４０に対して原稿を排出させる第１排出ロール２１が取り付けられている。なお、第１排出ロール２１は、後述する理由により、原稿を逆方向に搬送する必要があることから、正逆方向に回転駆動されるように構成されている。
【００１９】
また、この原稿送り装置１０では、両面に画像が形成された原稿を読み取る場合において、両面の画像を１プロセスで読み取ることができるよう、読み取りが終了した原稿を反転搬送するための第３搬送路３３が設けられている。第３搬送路３３は、第１排出ロール２１の入口側とプレレジロール１７の入口側との間に設けられている。さらに、この原稿送り装置１０では、原稿の両面読み取りを行った場合に、両面読み取りが終了した原稿をさらにもう一度反転させてから排出トレイ４０に排出させるための第４搬送路３４が設けられている。第４搬送路３４は、第１排出ロール２１の入口側から下方に分岐するように形成されており、第４搬送路３４には、排出トレイ４０に対して原稿を排出させる第２排出ロール２２が取り付けられている。また、第３搬送路３３と第４搬送路３４との分岐部には、これらの搬送路を切り替える搬送路切替ゲート４２が設けられる。
【００２０】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、下面方向から画像データが読み込まれる。
【００２１】
この画像読み取り装置において、原稿の片面画像を読み取る片面モードでは、片面の読み取りを終了した原稿が、第１搬送路３１から第２搬送路３２へと導かれ、第１排出ロール２１によって排出トレイ４０へと排出される。
一方、原稿の両面画像を読み取る両面モードでは、片面(第１面)の読み取りを終了した原稿が、第１搬送路３１から第２搬送路３２へと導かれ、第１排出ロール２１によってさらに搬送される。そして、原稿の搬送方向後端が搬送路切替ゲート４２を通過した直後のタイミングで、搬送路切替ゲート４２が原稿を第３搬送路３３側へと導くように切り替えられ、第１排出ロール２１の回転方向が逆方向に切り替えられる。その結果、原稿は、その表裏が反転した状態で、第２搬送路３２から再び第１搬送路３１へと導かれる。そして、他の片面(第２面)の読み取りを終了した原稿が、第１搬送路３１から第２搬送路３２へと導かれ、第１排出ロール２１によってさらに搬送される。その後、原稿の搬送方向後端が搬送路切替ゲート４２を通過した直後のタイミングで、搬送路切替ゲート４２が今度は原稿を第４搬送路３４側へと導くように切り替えられ、第１排出ロール２１の回転方向が再び逆方向に切り替えられる。その結果、原稿は、さらに表裏が反転した状態で、第２搬送路３２から第４搬送路３４へと導かれ、第２排出ロール２２によって排出トレイ４０へと排出される。
このような構成を採用することにより、本実施の形態に係る原稿送り装置１０では、片面モード、両面モードに関係なく、画像読み取りを終了した原稿を、原稿トレイ１１へのセット時と表裏の関係が同じ状態で排出トレイ４０に積載することができる。
【００２２】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。なお、本実施の形態では、スキャナ装置７０に対して原稿送り装置１０が奥側を支点に揺動自在に取り付けられており、第１プラテンガラス７２Ａ上に原稿をセットする際には、原稿送り装置１０を持ち上げて原稿を載置し、その後、原稿送り装置１０をスキャナ装置７０側に降ろして押し付けるようになっている。
【００２３】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８、ＣＣＤイメージセンサ７８が取り付けられる駆動基板７９を備え、ＣＣＤイメージセンサ７８によって得られた画像信号は駆動基板７９を介して処理装置８０に送られる。
なお、本実施の形態では、これらフルレートキャリッジ７３、照明ランプ７４、ハーフレートキャリッジ７５、第１ミラー７６Ａ、第２ミラー７６Ｂ、第３ミラー７６Ｃ、結像用レンズ７７、ＣＣＤイメージセンサ７８、および駆動基板７９によって、読み取り手段が構成されている。
【００２４】
ここで、第１プラテンガラス７２Ａに載置された原稿の画像を読み取る原稿固定読み取りの場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８に設けられるラインセンサ(後述)は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２５】
一方、第２プラテンガラス７２Ｂは、例えば長尺の板状構造をなす透明なガラスプレートで構成される。原稿送り装置１０によって搬送される原稿の画像を読み取る原稿流し読み取りの場合には、原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。即ち、ＣＣＤイメージセンサ７８に設けられる１次元のセンサであるラインセンサによって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２６】
次に、図１に示す処理装置８０について説明する。
図２は、処理装置８０を説明するためのブロック図である。本実施の形態が適用される処理装置８０は、大きく、ＣＣＤイメージセンサ７８から得られた画像情報を処理する信号処理部８１と、原稿送り装置１０およびスキャナ装置７０を制御する制御部９０とを備えている。信号処理部８１は、ＣＣＤイメージセンサ７８からの出力に対して所定の画像処理を施している。この信号処理部８１は、入力されてくるアナログの画像信号に対してアナログ−ディジタル変換(Ａ/Ｄ変換)、フィルタ処理、シェーディング補正、および、γ補正等の処理を施す前処理部１００、前処理部１００にて画像処理が施されたディジタルの画像信号に対して拡大・縮小、コントラスト調整、地肌除去、および２値化等を行う後処理部２００を備えている。これら信号処理部８１からの出力は、例えばプリンタ等のＩＯＴ(Image Output Terminal)や、パーソナルコンピュータ(ＰＣ)等のホストシステムへ出力される。
【００２７】
一方、制御部９０は、片面読み取りや両面読み取りの制御等を含め、原稿送り装置１０およびスキャナ装置７０の全体を制御する画像読み取りコントロール９１、ＣＣＤイメージセンサ７８を制御するＣＣＤコントロール９２、読み取りタイミングに合わせて照明ランプ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。
【００２８】
画像読み取りコントロール９１は、ホストシステムからの制御信号や、例えば自動選択読み取り機能に際して検出されるセンサ出力、ユーザインタフェース(ＵＩ)を介したユーザからの選択等に基づいて、読み取りモードを設定し、原稿送り装置１０およびスキャナ装置７０を制御している。このような読み取りモードとしては、第１プラテンガラス７２Ａ上に原稿を載置して読み取る原稿固定読み取りモード、あるいは、１パスによる片面読み取りモードや反転パスを用いた反転両面読み取りモード等の原稿流し読み取りモードが考えられる。
特に、本実施の形態では、例えば原稿を読み取って得られた画像データに所定の画像処理を施すことにより、文字画像の読み取りやすさを確保した画像データを出力する文字画像読み取りモード(文字モード)や、原稿を読み取って得られた画像データに所定の画像処理を施すことにより、写真画像の見やすさを確保した画像データを出力する写真画像読み取りモード(写真モード)などが設定可能となっている。そして、ユーザによる指定を受けたこれら文字モードや写真モード等の画像読み取りモード情報が、信号処理部８１に設けられた前処理部１００へと出力される。
【００２９】
図３は、上述した前処理部１００の機能をさらに詳述したブロック図である。本実施の形態では、ＣＣＤイメージセンサ７８からのアナログ画像データが、前処理部１００に入力されてくる。前処理部１００は、増幅回路１０１、オフセット補正回路(オフセット回路)１０２、アナログ/ディジタル変換回路(Ａ/Ｄ変換回路)１０３、フィルタ処理回路１０４、減算回路１０５、シェーディング補正回路１０６、およびγ補正回路１０７を有している。
【００３０】
増幅回路１０１は、読み取りセンサの一つとしてのＣＣＤイメージセンサ７８から入力されるアナログ画像データを所定の出力レベルまで増幅する。オフセット補正手段の一つとしてのオフセット補正回路１０２は、増幅回路１０１によって増幅されたアナログ画像データに正の直流バイアスを重畳することで、増幅されたアナログ画像データにオフセット補正を施す。変換手段の一つとしてのＡ/Ｄ変換回路１０３は、増幅回路１０１で増幅され且つオフセット補正回路１０２でオフセット補正されたアナログ画像データを、画素毎にディジタル画像データに変換する。フィルタ処理回路１０４は、Ａ/Ｄ変換回路１０３でＡ/Ｄ変換されたディジタル画像データに対し、画素毎に空間フィルタリング処理を施している。また、フィルタ処理回路１０４では、外部から入力されてくるフィルタ閾値(後述)および画像読み取りモード(文字モード、写真モード)に基づき、画素毎に、空間フィルタリング処理を施したディジタル画像データ(以下の説明ではフィルタ処理後データと呼ぶ)または空間フィルタリング処理を施さないディジタル画像データ(Ａ/Ｄ変換回路１０３から出力されるディジタル画像データそのものであり、以下の説明ではフィルタ処理前データと呼ぶ)を選択し、フィルタ出力データとして出力している。減算手段の一つとしての減算回路１０５は、フィルタ処理回路１０４から入力されてくるディジタル画像データ(フィルタ出力データ)に対し、オフセット補正回路１０２で行ったオフセット補正に対応する減算処理を施している。シェーディング補正回路１０６は、減算回路１０５で逆オフセット補正が施されたディジタル画像データにシェーディング補正を施す。γ補正手段の一つとしてのγ補正回路１０７は、シェーディング補正回路１０６でシェーディング補正が施されたディジタル画像データにγ補正を施し、後処理部２００(図２参照)へと出力する。
なお、本実施の形態では、Ａ/Ｄ変換回路１０３によるＡ/Ｄ変換後の画像の濃度が８ビット(２５６階調)で表されるようになっており、黒では最小の０、白では最大の２５５が出力される。
【００３１】
図４は、上述した前処理部１００におけるフィルタ処理回路１０４をさらに詳述したブロック図である。フィルタ処理回路１０４は、空間フィルタ回路１１１、比較回路１１２、および出力選択回路１１３を備えている。
フィルタ処理手段の一つとしての空間フィルタ回路１１１は、Ａ/Ｄ変換回路１０３(図３参照)から入力されてくるディジタル画像データａに対し、画素毎に空間フィルタリング処理を施し、フィルタ処理後データｂとして出力している。ここで、空間フィルタリング処理としては、対象となる画素である注目画素およびこの注目画素の周囲に存在する周囲画素のディジタル画像データを平均化する平均化フィルタなど公知の手法を採用することができるが、例えば平均化フィルタに代えてメディアンフィルタを用いるなど、他の手法であっても構わない。比較回路１１２は、空間フィルタ回路１１１から出力される画素毎のフィルタ処理後データｂとフィルタ閾値Ｔｈとを比較し、注目画素のフィルタ処理後データｂがフィルタ閾値Ｔｈよりも小さい場合、すなわち注目画素のフィルタ処理後データｂが黒側のデータの場合には「１」を、それ以外の場合には「０」を、選択信号ｃとして出力している。なお、フィルタ閾値Ｔｈは、例えば８ビット(２５５階調)の場合には、１０程度に設定されるが、実際には、オフセット補正回路１０２(図３参照)で用いられるオフセット補正値に基づいて設定することができる。選択出力手段の一つとしての出力選択回路１１３は、比較回路１２から入力される選択信号ｃおよびユーザインタフェース(ＵＩ)および画像読み取りコントロール９１(図２参照)を介して入力される読み取りモード(文字モード、写真モード)に基づいて、画素毎に、フィルタ処理前データｄ(＝ディジタル画像データａ)またはフィルタ処理後データｂを選択し、フィルタ出力データｅとして出力する。
【００３２】
図５は、上述した出力選択回路１１３における読み取りモードおよび選択信号ｃと、選択出力されるフィルタ出力データｅとの関係を示している。図５に示すように、読み取りモードとして写真モードが選択され且つ選択信号ｃが１であった場合には、注目画素に対するフィルタ出力データｅとしてフィルタ処理後データｂが出力される。また。読み取りモードとして写真モードが選択された場合であっても選択信号ｃが０であった場合には、注目画素に対するフィルタ出力データｅとしてフィルタ処理前データｄが出力される。そして、読み取りモードとして例えば文字モードなど写真モード以外が選択された場合にも、選択信号ｃが１か０かには関係なく、注目画素に対するフィルタ出力データｅとしてフィルタ処理前データｄが出力される。
なお、フィルタ処理回路１０４の比較回路１１２では、フィルタ処理後データｂと閾値Ｔｈとを比較しているが、これは、次の理由による。フィルタ処理前データｄは、ノイズを含んでいる。このため、フィルタ処理前データｄが閾値Ｔｈ近辺の大きさであった場合には、選択信号ｃが頻繁に切り替わることになってしまい、結果として部位の画像が劣化してしまうおそれがある。そこで、本実施の形態では、フィルタ処理前データｄではなく、フィルタ処理後データｂと閾値Ｔｈとを比較し、その比較結果に基づいて選択信号ｃを出力している。
【００３３】
図６は、γ補正回路１０７における入出力特性を説明するための図である。図６において、横軸は入力値(０〜２５５)であり、縦軸は出力値(０〜２５５)を示している。本実施の形態に係る画像読み取り装置では、γの値が０.７程度となっており、入力値と出力値との関係がノンリニア(非線形)である。このため、補正前では、図中一点鎖線(補正前カーブ)で示すように、最小階調と最大階調との間の中間調で、入力階調に対する実際の出力階調が小さくなってしまう(中間調が沈む)。そこで、γ補正回路１０７では、図中実線で示す補正カーブに対応して入力階調と出力階調と関連付けたＬＵＴ(Look Up Table)を用い、γ補正を行っている。これにより、γ補正回路１０７からの出力は、図中実線で示すように、リニア(線形)なものとなる。なお、本実施の形態では、上述したように、画像読み取り装置のγの値が１未満であることから、図６に示すように、低階調(０近傍)の入力値に対して、特に高い利得をもった出力値が得られることになる。
【００３４】
では次に、具体的な例を挙げて説明する。なお、この説明では、読み取りモードとして写真モードが選択されているものとする。
図７は、ＣＣＤイメージセンサ７８から出力されてくる出力(アナログ画像データ)の一例を示している。図７に示すように、アナログ画像データは、読み取り対象となる原稿の明暗に応じた出力となっている。なお、以下の説明では、図中に示すように、出力が略０である領域(黒に対応する領域)を黒領域Ｌ、出力が黒と白との間である領域(グレーに対応する領域)をグレー領域Ｍと呼ぶことにする。ＣＣＤイメージセンサ７８からの出力されるアナログ画像データには、本来のアナログ画像データにノイズ成分が重畳されている。このため、マクロ的には略一定にみえる黒領域Ｌやグレー領域Ｍにおけるアナログ画像データも、ミクロ的には、図中に拡大して示すように、ノイズ成分Ｎが存在している。
【００３５】
図８は、上述した黒領域Ｌのアナログ画像データに対する処理を説明するための図である。ここで、図８(ａ)は増幅回路１０１からの出力、図８(ｂ)はオフセット補正回路１０２からの出力、図８(ｃ)はＡ/Ｄ変換回路１０３からの出力およびフィルタ処理回路１０４からの出力、図８(ｄ)は減算回路１０５からの出力、をそれぞれ示している。
図７を用いて説明したように、黒領域Ｌのアナログ画像データには、ノイズ成分Ｎが重畳されている。このため、増幅回路１０１からは、黒領域Ｌのアナログ画像データに対応して、０を中心とし、増幅されたノイズ成分Ｎ’が重畳されたアナログ画像データが出力されることになる。
【００３６】
次に、オフセット補正回路１０２では、増幅回路１０１から入力されてくるアナログ画像データに対し、図８(ｂ)に示すように、正の直流バイアスからなるオフセットバイアスＯｆｆｓを重畳している。ここで、オフセットバイアスＯｆｆｓの大きさは、増幅されたノイズ成分Ｎ’の２分の１よりもわずかに大きい値に設定される。このオフセットバイアスＯｆｆｓの大きさは、予め実験等によって求められている。このため、オフセット補正回路１０２からは、黒領域Ｌのアナログ画像データに対応して、増幅されたノイズ成分Ｎ’を含めて、マージンＸを有しすべてが０以上(正の値)に持ち上げられたアナログ画像データが出力されることになる。
【００３７】
さらに、Ａ/Ｄ変換回路１０３では、オフセット補正回路１０２から入力されてくるアナログ画像データをＡ/Ｄ変換し、図８(ｃ)に一点鎖線で示すディジタル画像データａ(図４参照)として出力する。このとき、本実施の形態では、オフセット補正回路１０２においてオフセットバイアスＯｆｆｓが重畳されているために、増幅された黒領域Ｌのアナログ画像データにおいても、負のノイズ成分は存在しない。このため、負のノイズ成分がＡ/Ｄ変換時に０レベルにクリップされるという事態は生じず、極小値であっても、正のディジタル画像データが出力されることになる。
【００３８】
そして、フィルタ処理回路１０４では、Ａ/Ｄ変換回路１０３から入力されてくるディジタル画像データａであるフィルタ処理前データｄ、または、このディジタル画像データａに空間フィルタ回路１１１(図４参照)にて空間フィルタリング処理を施したフィルタ処理後データｂのいずれかが選択、出力される。ここで、黒領域Ｌのディジタル画像データａの場合には、黒領域Ｌのディジタル画像データａが閾値Ｔｈよりも小さいために比較回路１１２から選択信号ｃ＝１が出力され、且つ、上述したように写真モードが選択されているために、フィルタ処理後データｂがフィルタ出力データｅとして出力選択回路１１３から出力されることになる。ここで、図８(ｃ)には、フィルタ処理回路１０４から出力されるフィルタ出力データｅ(この例ではフィルタ処理後データｂ)を実線で示している。フィルタ出力データｅには、上述したオフセットバイアスＯｆｆｓが重畳されたものとなっている。ただし、オフセット補正回路１０２で重畳されるオフセットバイアスＯｆｆｓはアナログデータであり、フィルタ処理後データｂに含まれるオフセットバイアスＯｆｆｓはディジタルデータである。
【００３９】
次に、減算回路１０５では、フィルタ処理回路１０４から入力されてくるフィルタ出力データｅから、上述したオフセットバイアスＯｆｆｓを減算して出力している。このため、黒領域Ｌのディジタル画像データの場合、減算の結果、濃度に対応した黒の階調(この例では０)が出力されることになる。
【００４０】
一方、図９は、上述したグレー領域Ｍのアナログ画像データに対する処理を説明するための図である。ここで、図９(ａ)は増幅回路１０１からの出力、図９(ｂ)はオフセット補正回路１０２からの出力、図９(ｃ)はＡ/Ｄ変換回路１０３からの出力およびフィルタ処理回路１０４からの出力、図９(ｄ)は減算回路１０５からの出力、をそれぞれ示している。
図７を用いて説明したように、グレー領域Ｍのアナログ画像データにも、ノイズ成分Ｎが重畳されている。このため、増幅回路１０１からは、グレー領域Ｍのアナログ画像データに対応して、所定の値を中心とし、増幅されたノイズ成分Ｎ’が重畳されたアナログ画像データが出力されることになる。
【００４１】
次に、オフセット補正回路１０２では、増幅回路１０１から入力されてくるアナログ画像データに対し、図９(ｂ)に示すように、オフセットバイアスＯｆｆｓが重畳される。
さらに、Ａ/Ｄ変換回路１０３では、オフセット補正回路１０２から入力されてくるアナログ画像データをＡ/Ｄ変換し、図９(ｃ)に一点鎖線で示すディジタル画像データａ(図４参照)として出力する。
なお、グレー領域Ｍのアナログ画像データの場合には、上述した黒領域Ｌのアナログ画像データとは異なり、もともと負のノイズ成分は存在していない。
【００４２】
そして、フィルタ回路１０４では、Ａ/Ｄ変換回路１０３から入力されてくるディジタル画像データａであるフィルタ処理前データｄ、または、このディジタル画像データａに空間フィルタ回路１１１(図４参照)にて空間フィルタリング処理を施したフィルタ処理後データｂのいずれかが選択、出力される。ここで、グレー領域Ｍのディジタル画像データａの場合には、グレー領域Ｍのディジタル画像データａが閾値Ｔｈよりも大きいために比較回路１１２から選択信号ｃ＝０が出力され、且つ、上述したように写真モードが選択されているために、フィルタ処理前データｄがフィルタ出力データｅとして出力選択回路１１３から出力されることになる。ここで、図９(ｃ)には、フィルタ処理回路１０４から出力されるフィルタ出力データｅ(この例ではフィルタ処理前データｄ)を実線で示している。フィルタ出力データｅには、上述したオフセットバイアスＯｆｆｓが重畳されたものとなっている。
【００４３】
次に、減算回路１０５では、フィルタ処理回路１０４から入力されてくるフィルタ出力データｅから、上述したオフセットバイアスＯｆｆｓを減算して出力している。このため、グレー領域Ｍのディジタル画像データの場合、減算の結果、濃度に対応したグレーレベルの階調が出力されることになる。
【００４４】
このようにして減算回路１０５から出力された黒領域Ｌおよびグレー領域を含むディジタル画像データには、シェーディング補正回路１０６においてシェーディング補正が施され、さらにγ補正回路１０７でγ補正が施された後、後処理部２００へと出力される。そして、後処理部２００で各種画像処理が施された後、外部に設けられた他の機器へと出力がなされる。
【００４５】
このように、本実施の形態では、ＣＣＤイメージセンサ７８から出力されてくるアナログ画像データをＡ/Ｄ変換する前に、オフセット補正を施すことで、低階調領域(黒に近い階調)のアナログ画像データがノイズ成分によって負の値をとることを抑止した。そして、オフセット補正が施されたアナログ画像データを、Ａ/Ｄ変換することによってディジタル画像データとし、このディジタル画像データに空間フィルタリング処理を施したフィルタ処理後データｂを出力するようにした。これにより、ディジタル画像データに空間フィルタリング処理を施す前後で、図１１に破線で示すように、低階調領域(黒に近い領域)において入出力特性を線形に維持することができる。そして、空間フィルタリング処理を施したディジタル画像データに、減算処理すなわち先に施したオフセット補正とは逆方向のオフセット補正を施すようにした。これにより、ディジタル画像データに空間フィルタリング処理を施した場合であっても、低階調領域における階調性を維持しながら出力を行うことができる。
【００４６】
また、本実施の形態では、低階調領域以外の他の領域(中階調および高階調領域)については、空間フィルタリング処理を施さないフィルタ処理前データｄを出力するようにした。これにより、中階調および高階調領域における画像のボケを抑えることができる。
【００４７】
そして、本実施の形態では、このようにして得られたフィルタ出力データｅにシェーディング補正およびγ補正を施すようにした。このため、γ補正回路１０７においてフィルタ出力データｅに対するγ補正を施した場合にも、低階調部(暗部)すなわち高濃度部において、ノイズ成分が高い利得をもって増幅されるという事態を回避することが可能となり、低階調から高階調まで階調性を維持することができる。ここで、本実施の形態では、中階調および高階調領域のディジタル画像データにおけるノイズ除去を行っていないが、中階調および高階調領域は、γ補正回路１０７における増幅の利得が比較的小さいため、特に問題となることはない。
【００４８】
また、本実施の形態では、高濃度領域の階調性やＳ/Ｎが画像品質に大きな影響を及ぼす写真モードにおいて、高濃度領域ではフィルタ処理後データｂを選択出力し、高濃度領域以外ではフィルタ処理前データｄを選択出力するようにした。これにより、高濃度領域では階調性が維持され、且つ高濃度領域以外では画像のエッジをくっきりさせることができる。一方、写真モード以外のモード(例えば文字モード)では、全濃度領域に対してフィルタ処理前データｄを出力するようにした。文字画像の場合には、高濃度領域の階調性よりも、高濃度となる文字画像の読みやすさの方が優先されるため、高濃度領域に対してもフィルタ処理前データｄが選択出力されることで、画像のエッジを強調でき、文字の読みやすさを確保することができる。
【００４９】
なお、本実施の形態では、モノクロの画像読み取り装置を例に説明を行ったが、これに限られるものではなく、例えばＲＧＢ三色の読み取り系を用いたフルカラー画像読み取り装置に適用することができる。また、本実施の形態では、ＣＣＤイメージセンサ７８および縮小光学系を用いていたが、これに限られるものではなく、例えば密着光学系であるＣＩＳ(Contact Image Sensor)方式を採用することも可能である。さらに、本実施の形態では、所謂反射型の画像読み取り装置を例に説明を行ったが、これに限られるものではなく、所謂透過型の画像読み取り装置(フィルムスキャナ)に適用することもできる。
【図面の簡単な説明】
【００５０】
【図１】本実施の形態が適用される画像読み取り装置を示す図である。
【図２】処理装置を説明するためのブロック図である。
【図３】処理装置に設けられる前処理部の機能を詳述したブロック図である。
【図４】前処理部に設けられるフィルタ処理回路の機能を詳述したブロック図である。
【図５】読み取りモードおよび比較回路から出力される選択信号と、出力画像データとして選択される画像データとの関係を示す図表である。
【図６】γ補正回路における入出力特性を説明するための図である。
【図７】ＣＣＤイメージセンサから出力されるアナログ画像データの一例およびアナログ画像データに存在するノイズ成分を説明するための図である。
【図８】黒領域のアナログ画像データに対する処理を説明するための図であり、(ａ)は増幅回路からの出力、(ｂ)はオフセット補正回路からの出力、(ｃ)はＡ/Ｄ変換回路からの出力およびフィルタ処理回路からの出力、(ｄ)は減算回路からの出力、である。
【図９】グレー領域のアナログ画像データに対する処理を説明するための図であり、(ａ)は増幅回路からの出力、(ｂ)はオフセット補正回路からの出力、(ｃ)はＡ/Ｄ変換回路からの出力およびフィルタ処理回路からの出力、(ｄ)は減算回路からの出力、である。
【図１０】従来における画像処理を説明するための図であり、(ａ)はイメージセンサから出力されるアナログ画像データ、(ｂ)はＡ/Ｄ変換回路から出力されるディジタル画像データ、(ｃ)は空間フィルタリング処理後のディジタル画像データ、を示す。
【図１１】空間フィルタリング処理におけるディジタル画像データの入出力特性を示す図である。
【符号の説明】
【００５１】
１０…原稿送り装置、７０…スキャナ装置、７８…ＣＣＤイメージセンサ、８０…処理装置、８１…信号処理部、９０…制御部、９１…画像読み取りコントロール、９２…ＣＣＤコントロール、９３…ランプコントロール、９４…スキャンコントロール、９５…搬送機構コントロール、１００…前処理部、１０１…増幅回路、１０２…オフセット補正回路、１０３…Ａ/Ｄ変換回路、１０４…フィルタ処理回路、１０５…減算回路、１０６…シェーディング補正回路、１０７…γ補正回路、１１１…空間フィルタ回路、１１２…比較回路、１１３…出力選択回路、２００…後処理部
【図１】
2006254008.tif 000003
【図２】
2006254008.tif 000004
【図３】
2006254008.tif 000005
【図４】
2006254008.tif 000006
【図５】
2006254008.tif 000007
【図６】
2006254008.tif 000008
【図７】
2006254008.tif 000009
【図８】
2006254008.tif 000010
【図９】
2006254008.tif 000011
【図１０】
2006254008.tif 000012
【図１１】
2006254008.tif 000013